(57)【要約】【課題】測定データの継続処理および／または測定データの診断を迅速にかつ医師または操作者にとって簡単に実施可能にする。【解決手段】操作者によって被検体６１の所望の走査ボリューム６３が決定され（Ｆ）、コンピュータ装置３１によって制御されて走査ボリュームにおいて種々の方向を割り付けられたデータを有する生データセットが取得される（Ｓ）、断層撮影能力のある画像形成検査装置の作動方法において、コンピュータ装置３１は、結果画像の後続の算出の計画を可能にするために、走査に歩調を合わせてまたは走査の終了直後に、被検体６１の画像の概観表示６５を生データから算出し（Ｒ）、表示し（Ａ）、概観表示６５は走査ボリューム６３の３次元情報を含み、操作者は概観表示６５を使用して診断所見上重要な表示範囲６７を選択し（Ｗ）、コンピュータ装置３１は画像算出アルゴリズムにより選択された表示範囲６７において診断所見上重要な結果画像７１を算出する（Ｂ）。【選択図】図４
2005103263.tif 000002
【特許請求の範囲】
【請求項１】
被検体（６１）を透過するかまたは被検体（６１）において発生した波または放射線（８）をシステム軸線に対して種々の方向から検出可能であり、作動支援のためのコンピュータ装置を有する断層撮影能力のある画像形成検査装置、特にＸ線コンピュータ断層撮影装置の作動方法であって、
ａ）操作者によって被検体（６１）の所望の走査ボリューム（６３）が決定（Ｆ）され、
ｂ）コンピュータ装置（３１）によって制御されて走査ボリュームにおいて種々の方向を割り付けられたデータを有する生データセットが取得（Ｓ）される断層撮影能力のある画像形成検査装置の作動方法において、
ｃ）コンピュータ装置（３１）は、結果画像の後続の算出の計画を可能にするために、走査に歩調を合わせてまたは走査の終了直後に、被検体（６１）の画像の概観表示（６５）を生データから算出（Ｒ）し、表示（Ａ）し、概観表示（６５）は走査ボリューム（６３）の３次元情報を含み、
ｄ）操作者は概観表示（６５）を使用して診断所見上重要な表示範囲（６７）を選択（Ｗ）し、
ｅ）コンピュータ装置（３１）は画像算出アルゴリズムにより選択された表示範囲（６７）において診断所見上重要な結果画像（７１）を算出（Ｂ）する
ことを特徴とする断層撮影能力のある画像形成検査装置の作動方法。
【請求項２】
生データセットは、等方性または準等方性のボリュームデータセットを作成可能であるように取得されることを特徴とする請求項１記載の方法。
【請求項３】
被検体画像の概観表示の算出および／または表示（ステップｃ））は、コンピュータ装置（３１）によって自動的にまたは操作者との対話形式で行なわれることを特徴とする請求項１又は２記載の方法。
【請求項４】
概観表示の算出（ステップｃ））のために画像再構成アルゴリズムが使用されることを特徴とする請求項１乃至３の１つに記載の方法。
【請求項５】
画像再構成アルゴリズムはコンピュータ装置（３１）に予め設定され、特に種々に選択可能な走査プロトコルのために種々の種類の画像再構成アルゴリズムまたは種々のパラメータ化された画像再構成アルゴリズムが格納されていることを特徴とする請求項４記載の方法。
【請求項６】
概観表示（ステップｃ））は、３つの平行でない、特に３つの直交方向から見た被検体画像からなることを特徴とする請求項１乃至５の１つに記載の方法。
【請求項７】
３つの直交方向から見た被検体画像は、横断像、サジタル像、コロナル像であることを特徴とする請求項６記載の方法。
【請求項８】
３つの直交方向から見た被検体画像は、多断面変換法（ＭＰＲ）または最大値投影法（ＭＩＰ）によって作成されることを特徴とする請求項６又は７記載の方法。
【請求項９】
概観表示（ステップｃ））は少なくとも１つの被検体３Ｄ画像を含むことを特徴とする請求項１乃至５の１つに記載の方法。
【請求項１０】
３Ｄ画像はボリュームレンダリング（ＶＲＴ）によって作成されることを特徴とする請求項９記載の方法。
【請求項１１】
診断所見上重要な表示範囲（６７）の選択（ステップｄ））は概観表示においてナビゲート可能な画面ポインタにより行なわれることを特徴とする請求項１乃至１０の１つに記載の方法。
【請求項１２】
診断所見上重要な表示範囲（６７）の選択（ステップｄ））のために、結果画像、特に２次断層像の大きさ、位置および／または向きがコンピュータ装置（３１）に入力されることを特徴とする請求項１乃至１１の１つに記載の方法。
【請求項１３】
コンピュータ装置（３１）は、生データセットから理論的に算出可能な全ての横断断層像を全部算出することなく、結果画像を算出することを特徴とする請求項１乃至１２の１つに記載の方法。
【請求項１４】
コンピュータ装置（３１）は、横断断層像を算出することなく、結果画像を算出することを特徴とする請求項１乃至１３の１つに記載の方法。
【請求項１５】
結果画像の算出（ステップｅ））前に、操作者によって、目標パラメータとしての画像鮮明度、画像間隔、スライス厚、画像切抜きの少なくとも１つがコンピュータ装置（３１）に入力されるまたは入力可能であることを特徴とする請求項１乃至１４の１つに記載の方法。
【請求項１６】
入力されたパラメータはコンピュータ装置（３１）によって結果画像の算出（ステップｅ））の最適化に使用されることを特徴とする請求項１５記載の方法。
【請求項１７】
結果画像の算出（ステップｅ））は走査ボリュームにおいて取得された生データセット（ステップｂ））に基づいて行なわれることを特徴とする請求項１乃至１６の１つに記載の方法。
【請求項１８】
コンピュータ装置（３１）は、結果画像の算出（ステップｅ））のために、特に新たに画像再構成を実行することを特徴とする請求項１乃至１７の１つに記載の方法。
【請求項１９】
非アキシャル断層像の直接再構成が行なわれることを特徴とする請求項１８記載の方法。
【請求項２０】
僅かな精度および／または短い算出時間を有する事前設定された画像再構成アルゴリズム（ステップｃ））は、結果画像の後で行なわれる算出（ステップｅ））のための新たな画像再構成アルゴリズムとして作動させられることを特徴とする請求項５または１８または１９記載の方法。
【請求項２１】
コンピュータ装置（３１）は、操作者が診断所見上重要な表示範囲を概観表示において選択した後に、結果画像の再構成のための画像再構成アルゴリズムをその種類および／または再構成パラメータに関して決定し、特にオプションとして入力された目標パラメータは結果画像のためにコンピュータ装置によって画像再構成アルゴリズムの決定の際に利用されることを特徴とする請求項１８乃至２０の１つに記載の方法。
【請求項２２】
結果画像の算出（ステップｅ））は、概観表示に基づいて、特に新たな画像再構成の実施なしに行なわれることを特徴とする請求項１乃至２１の１つに記載の方法。
【請求項２３】
コンピュータ装置（３１）は結果画像の算出（ステップｅ））のためにレトロスペクティブなフィルタ処理を行なうことを特徴とする請求項１乃至２２の１つに記載の方法。
【請求項２４】
結果画像の出現後または全てのオプション的に付加的に再構成された結果画像の出現後、結果画像はコンピュータ装置（３１）に記憶されるか、または別のコンピュータ装置（３１）に伝送されることを特徴とする請求項１乃至２３の１つに記載の方法。
【請求項２５】
記憶もしくは伝送は、横断断層像のスタックが記憶もしくは伝送されることなしに行なわれることを特徴とする請求項２４記載の方法。
【請求項２６】
ステップａ）〜ｅ）は共通なコンピュータプログラムによって支援され、ステップａ）〜ｅ）は操作者によって特にオペレータコンソールを用いて実施されることを特徴とする請求項１８乃至２０の１つに記載の方法。
【請求項２７】
請求項１乃至２６の１つに記載の方法を実施するためのＸ線コンピュータ断層撮影装置。
【発明の詳細な説明】
【技術分野】
【０００１】
本発明は、被検体を透過するかまたは被検体において発生した波または放射線がシステム軸線に対して種々の方向から検出可能である断層撮影能力のある画像形成検査装置の分野にある。この種の検査装置は、例えばＸ線源から放射されて被検体を透過するＸ線を使用する。これには、特にシステム軸線の周りを無限に回転可能なＸ線コンピュータ断層撮影装置が含まれるが、しかしいわゆるＣアームＸ線装置も含まれる。本発明の意味での検査装置は、更に被検体を透過する超音波が検出されるような超音波断層撮影装置であり、また核医学の断層撮影能力のある画像形成検査装置も同様であり、この場合に被検体自体が放射性である。これには、例えば陽電子放射断層撮影装置（ＰＥＴ）またはいわゆるＳＰＥＣＴ装置（シングルフォトンエミッションコンピュータ断層撮影装置）が含まれる。本発明の意味での検査装置は特にシステム軸線の周りを回転可能な測定システムを有する。
【０００２】
本発明は、被検体を透過するかまたは被検体において発生した波または放射線をシステム軸線に対して種々の方向から検出可能であり、作動支援のためのコンピュータ装置を有する断層撮影能力のある画像形成検査装置、特にＸ線コンピュータ断層撮影装置の作動方法であって、
ａ）操作者によって被検体の所望の走査ボリュームが決定され、すなわちコンピュータ装置に入力され、
ｂ）コンピュータ装置によって制御されて走査ボリュームにおいて種々の方向を割り付けられたデータを有する生データセットが取得される
断層撮影能力のある画像形成検査装置の作動方法に関する。
【背景技術】
【０００３】
診断にとって重要な走査ボリュームの改善された決定を可能にする種々の方法もしくは装置が知られている。
【０００４】
診断のために重要な走査ボリュームの改善された決定を自由に選択可能な投影方向から２次元の投影画像の算出によって可能にする走査プログラム作成方法は公知である（特許文献１参照）。走査プログラムの作成のために必要な生データは、わずかの線量で本来の撮影に関係のないＣＴ撮影により検出される。
【０００５】
更に、生データの取得と同時に撮影ボリュームの制御のためにシルエット画像を作成するコンピュータ断層撮影装置も公知である（特許文献２参照）。
【０００６】
現代の画像形成医療技術装置により、例えばマルチスライスＣＴ装置（ＭＳＣＴ＝Ｍｕｌｔｉ−Ｓｌｉｃｅ−ＣＴ）により、撮影画像は全ての方向において比較的高い分解能を有するので、それらにより増強された３Ｄ撮影（ボリュームデータセット）が生成される。しかしながら、ボリュームデータセットは従来の２次元画像の画像データセットよりも大きいデータ量を有し、そのためにボリュームデータセットの評価はかなり時間を要する。本来のボリュームデータセット取得は数分しか継続しないが、ボリュームデータセットの選別および処理にしばしば３０分以上が必要となる。ボリュームデータセットは、しばしば分かりにくいデータ氾濫を意味するばかりでなく、記録保管または中間記憶の際における記憶場所問題も避けられない。
【０００７】
およそ西暦２０００年まで、コンピュータ断層撮影（ＣＴ）においては、ほとんど、アキシャル断層スタック（断層像）に基づいて診断するか、または診断所見のために主として横断断層像によって方針を定めることだけが普通であった。これらの横断断層像は、画像再構成によって投影値（生データ、シヌグラム）から得られる１次画像（１次データ）である。よく知られた種類の可視化ではあるが本来の３Ｄ法ではない可視化は、断層を次々に表示する断層スタッ内へのフィルムのような没入にある。
【０００８】
ほぼ西暦１９９５年以来、コンピュータの算出能力向上のおかげで、個別の診断所見コンソール（ワークステーション）における３Ｄ表示が知られている。そこではボリュームデータセットに基づいて後処理（ポストプロセッシング）が行なわれ、一般には２次画像が作成される。医師が診断し易くするために、主として、次に挙げる４つの３Ｄ可視化の基本方法が使用されている。
【０００９】
１．多断面変換法（Ｍｕｌｔｉ  Ｐｌａｎａｒ  Ｒｅｆｏｒｍａｔｉｎｇ；ＭＰＲ）
多断面変換とは、例えば元の垂直の断層とは異なる方位のボリュームデータセットの新たな編成である。直交ＭＰＲ（１つの座標軸に対してそれぞれ垂直な３つのＭＰＲ）と、自由ＭＰＲ（傾斜断層；導き出された＝補間法された）と、曲面ＭＰＲ（生体の影像を通る任意の経路に対して平行なおよびその経路が描写されたＭＰＲに対して垂直な断層作成）とが区別される。
【００１０】
２．表面表示法（ＳＳＤ）
ボリュームデータセットの分割および切取られた被検体の表面表示はたいていＣＴ値における方位および手作業の補助編集によって強く特徴づけられる。
【００１１】
３．最大値投影法（Maximum Intensity Projection；ＭＩＰ）
各投影線に沿った最大値の表示。いわゆる薄いＭＩＰでは部分ボリュームのみが表示される。
【００１２】
４．ボリュームレンダリング法（ＶＲＴ）
ボリュームレンダリング法とは、Ｘ線と同じように被検体の中に侵入する投影線の減弱のモデル化である。それによって写像される物体の深部全体が（部分的に分割されて）検出される。場合によっては小さいそして特に薄い層の表示対象が失われる。表示は手作業で例えばいわゆる変換関数（カラールックアップテーブル）によって形成される。
【特許文献１】独国特許出願公開第１０００１４９２号明細書
【特許文献２】独国特許第４１０３５８８号明細書
【発明の開示】
【発明が解決しようとする課題】
【００１３】
本発明の課題は、断層撮影能力のある画像形成検査装置の測定データの継続処理および／または測定データの診断を迅速にかつ医師または操作者にとって簡単に実施可能にする方法を提供することにある。
【課題を解決するための手段】
【００１４】
この課題は、技術分野の項で述べた方法に関し、本発明によれば、
ｃ）コンピュータ装置は、結果画像の後続の算出のための計画を可能にするために、走査に歩調を合わせてまたは走査の終了直後に、被検体の画像としての概観表示を生データから算出し、表示し、概観表示は走査ボリュームの３次元情報を含み、
ｄ）操作者は概観表示を使用して診断所見上重要な表示範囲を選択し、
ｅ）コンピュータ装置は画像算出アルゴリズムにより選択された表示範囲において診断所見上重要な結果画像、特に２次画像を算出する
ことによって解決される。
【００１５】
本発明は、まず、今日一部にはひと目では見通せない断層像作成時におけるデータ氾濫を抑えることができるという認識に基づく。このために、本発明は、後処理が、特に２次画像の作成が時間的に１次データの算出と、特に生データからの画像再構成の実施と重なり合うことがあるという考察および認識から出発している。間挿された計画モードとしての、例えば検査された解剖学的構造の圧縮されたオンライン表示としての、３Ｄ情報を提供する概観表示は、一方では高速の３Ｄ表示を可能にし、他方では臨床上重要な結果画像のプロスペクティブな選択を可能にする。従ってデータ削減の可能性が生じる。さらに、結果画像の解剖学的指向の選択が可能である。結果画像はオンラインでパラメータ化し可視化することもでき、それによって最適な品質管理が可能となる。更に、１つの結果画像または複数の結果画像の算出時に依然として取得データ、特に生データへの全アクセスは維持されたままで有り得ると有利であり、これは画像最適化のために算出時に特定のパラメータ変化が必要である場合に特に有利である。
【００１６】
従来の方法において動作経過はアキシャル薄断層シリーズの計画およびその再構成で開始するのに対して、本発明による方法においては先ず診断所見上重要な範囲が計画され、その後初めて結果画像の本来の算出が行なわれる。
【００１７】
横断断層像すなわちアキシャル断層像（ｘ−ｙ）は、被検体の縦軸線に対して垂直な、すなわち患者縦軸線に対して垂直な断層像である。横断断層像は、システム軸線に対して直角な平面内にある画像（「断層像」）である。サジタル像（ｙ−ｚ）は、被検体つまり患者の対称面（正中面）に対して平行な平面内にある画像である。コロナル像（ｘ−ｚ）は、サジタル面および横断面に対して垂直な平面内にある画像である。コロナル平面は前額面とも呼ばれる。
【００１８】
断層面として他の方位を有する断層像、例えばサジタル像、コロナル像または傾斜像は、２次スライス、２次断層像または２次画像と呼ばれる。この意味の一般化において、本発明の関係では、一般に２Ｄ断層像ではない２Ｄまたは３Ｄ画像が２次画像と呼ばれる。それゆえ、２次画像は、断層面とは異なる方位を有する（例えばＭＰＲによる）２Ｄ画像または（例えばＶＲＴ、ＭＩＰ、ＳＳＤなどによる）任意の方位の３Ｄ画像であり得る。
【００１９】
本発明の意味での結果画像は特に２次画像であってよい。しかし、結果画像は生データから直接に算出された画像であることが必ずしも必要ではない。
【００２０】
本発明の意味でのコンピュータ装置は、１つ又は複数のコンピュータ、例えばパーソナルコンピュータまたはワークステーションを含むことができる。コンピュータ装置は、（特に空間的におよび／または組織的におよび／またはデータ線によりおよび／または制御線により）画像形成検査装置に付設されていている。コンピュータ装置および画像形成検査装置は、コンピュータ装置が画像形成検査装置の測定作動も結果画像（特に２次画像）の算出も行なうように、１つに纏まったまたは共通なワークステーションを形成すると好ましい。
【００２１】
操作者による所望の走査ボリュームの入力（ステップａ））前に、トポグラムの撮影を行なうことができる。代替として検査の開始位置および終了位置を決定するために光照準器を使用することができる。
【００２２】
有利な実施態様によれば、生データセットは、等方性または準等方性のボリュームデータセットを作成可能であるように取得される（ステップｂ））。従って、例えば生データは、等方性または準等方性のボリューム走査がボリュームデータセットの作成の基礎として保証されているように取得される。等方性または準等方性のボリュームデータセットは、特別な利点をもって、診断所見上重要な表示範囲の選択時に概観表示に基づいて特に多数の選択可能性、例えば任意の方位の２次スライス選択またはズームオプションを提供することができる。
【００２３】
他の有利な構成によれば、被検体画像の概観表示の算出および／または表示（ステップｃ））は、コンピュータ装置によって自動的におよび／または操作者との対話形式で行なわれ、後者は特にリアルタイムでおよび／または具体的な診断上の問題提起に適合させて行なわれる。いずれのケース（自動的または対話形式）であっても、アキシャル断層像（１次データ）の表示なしに３Ｄ概観表示がただ一つの計画モードとして走査中または走査終了直後に提供されるように、ＣＴ装置が構成されているか又は使用者によって設定可能である場合には有利である。それによって、使用者の親近感が明白に高まる。なぜならば、最終的には不必要なデータ氾濫による使用者の重荷が阻止されるからである。
【００２４】
概観表示の算出（ステップｃ））は特に画像再構成アルゴリズムにより実施される。
【００２５】
更に、画像再構成アルゴリズムはコンピュータ装置に特に再構成パラメータに関して予め設定され、特に種々に選択可能な走査プロトコルのために種々の種類の画像再構成アルゴリズムまたは種々のパラメータ化された画像再構成アルゴリズムが格納されている。それにより、これに関するどんな使用者入力もなしに又は重要な使用者入力なしに概観表示に到達することができる利点が生じる。このような自動的または準自動的な再構成は、特に等方性のボリュームデータセットの作成、特に最大限の分解能を有するボリュームデータセットの作成との関係において重要である。例えば胸部、頭部、腹部などのための走査プロトコルが存在してよい。再構成パラメータはスライス厚、鮮明度（分解能）、畳み込み核の種類などであってよい。
【００２６】
次に、計画モードにおける表示の２つの有利な変形例ついて説明する。
【００２７】
第１の変形例によれば、概観表示（ステップｃ））は、３つの互いに平行でない、特に３つの直交方向から見た被検体画像からなる。このような表示は使用者に対して簡単に所望の結果画像、特に２次画像又は高精度アキシャルスライスの結果画像の計画を可能にする。使用者は、計画された結果画像が所望範囲をカバーしているか否かを検証することができる。
【００２８】
特に、３つの直交方向から見た被検体画像は、横断像、サジタル像、コロナル像である。３つの直交方向から見た被検体画像は、多断面変換法（ＭＰＲ）または最大値投影法（ＭＩＰ）によって作成されると好ましい。
【００２９】
第２の変形例によれば、概観表示（ステップｃ））は少なくとも１つの被検体３Ｄ画像を含み、それゆえ少なくとも１つの３Ｄ可視化が特にボリュームレンダリング（ＶＲＴ）によって作成される。この変形例は、広いパラメータ空間の調整によって、取得されたボリュームデータセットの表示（外観図）に非常に大きな変化を提供する。種々の画像タイプが可能である。
【００３０】
上述の変形例および概観表示（ステップｃ））の具体的な特徴の他の変形例に関して、例えば種々に選択可能な走査プロトコルのために種々の種類の概観表示または種々のパラメータ化された概観表示が格納されているかもしくは格納可能であることによって、コンピュータ装置が概観表示の種類に対する事前設定を有するか又は可能にするならば特に有利である。それにより、「初期設定」を介して即座にできる限り現実的な適切な表示を提供することができる。例えば「胸部」につてはＭＰＲ表示が使用され、「血管撮影」についてはＭＩＰ表示が使用されるであろう。概観表示は使用者固有に、すなわち個別的に構成可能および／または事前設定可能であるとよい。
【００３１】
計画モードにおいて、診断所見上重要な表示範囲の選択（ステップｄ））は、概観表示においてナビゲート可能な画面ポインタ、例えばコンピュータマウス又はジョイスティックによって制御される画面ポインタにより行なわれる。
【００３２】
診断所見上重要な表示範囲の選択（ステップｄ））のために、結果画像、特に２次断層像の大きさ、位置および／または向きがコンピュータ装置に入力される。使用者に対して、走査後における概観表示または走査中に成長している概観表示を所望の平面へナビゲートすることができると好ましい。
【００３３】
他の特に有利な構成によれば、コンピュータ装置は選択された表示範囲に的確に診断所見上重要な結果画像を算出し、結果画像の算出（ステップｅ））は、特に生データセットから理論的に算出可能な全ての横断断層像を全部算出することなく行なわれる。それによって、特に大きなデータ削減が達成され、また医療上重要な画像の作成の加速も達成される。
【００３４】
コンピュータ装置は、特に横断（アキシャル）断層像を算出することなくあるいは少なくともアキシャル薄断層像を算出することなく、結果画像を算出する。特に、一般には２次画像である非アキシャル断層像の直接の再構成が行なわれるとよい。
【００３５】
結果画像の算出（ステップｅ））前に、操作者によって、目標パラメータとしての画像鮮明度、画像間隔、スライス厚、画像切抜きの少なくとも１つがコンピュータ装置に入力される。入力された目標パラメータはコンピュータ装置によって結果画像の算出（ステップｅ））の最適化に使用される。
【００３６】
本発明による方法の他の有利な構成は結果画像の算出（ステップｅ））に関する。
【００３７】
概観表示の算出のために行なわれた十分に精度のよい画像再構成（ステップｃ））の際、結果画像の算出（ステップｅ））のための新たな再構成は診断上の問題提起に応じて場合によっては省略してもよい。ここでは特に次の第２の変形例を示す。
【００３８】
結果画像の算出（ステップｅ））のために特に次の変形例を使用すると好ましい。
第１の変形例によれば、結果画像の算出（ステップｅ））は走査ボリュームにおいて取得された生データセット（ステップｂ））に基づいて行なわれる。
【００３９】
コンピュータ装置は、結果画像の算出（ステップｅ））のために、特に新たに画像再構成を実行するとよい。
【００４０】
特に僅かな精度および／または短い算出時間を有する最初に実施された特に事前設定された画像再構成アルゴリズム（ステップｃ））は、結果画像の後で行なわれる算出（ステップｅ））のために新たな画像再構成アルゴリズムとして作動させられる。従って、高品質の再構成は計画モードのための前提ではないので、計画モードは有利に非常に短時間で、例えば遅くともスキャン（走査）後数秒後に使用可能状態となる。
【００４１】
新たな画像再構成は、特に適応型多断面再構成法（ＡＭＰＲ＝Ａｄａｐｔｉｖｅ  Ｍｕｌｔｉｐｌｅ  Ｐｌａｎｅ  Ｒｅｃｏｎｓｔｒｕｃｔｉｏｎ）を用いて行なわれる。これは、「Ｓ．Ｓｃｈａｌｌｅｒ，Ｋ．Ｓｔｉｅｒｓｔｏｒｆｅｒ，Ｈ．Ｂｒｕｄｅｒ等による専門記事“Ｎｏｖｅｌ  ａｐｐｒｏｘｉｍａｔｅ  ａｐｐｒｏａｃｈ  ｆｏｒ  ｈｉｇｈ−ｑｕａｌｉｔｙ  ｉｍａｇｅ  ｒｅｃｏｎｓｔｒｕｃｔｉｏｎ  ｉｎ  ｈｅｌｉｃａｌ  ｃｏｎｅ  ｂｅａｍ  ＣＴ  ａｔ  ａｒｂｉｔｒａｒｙ  ｐｉｔｃｈ”Ｐｒｏｃｅｅｄｉｎｇｓ  ＳＰＩＥ  ４３２２（２００１）１１３−１２７」に開示されている。
【００４２】
新たな画像再構成の前に、使用者は、オプションとして、例えば再構成法の種類、畳み込み核、画像鮮明度、画像間隔、スライス厚、画像切抜きの如き目標パラメータを決定することができる。
【００４３】
しかしながら、操作者が診断所見上重要な表示範囲を概観表示において選択した後に、コンピュータ装置が結果画像の再構成のための画像再構成アルゴリズムの種類および／または再構成パラメータを決定すると有利である。この場合に、オプションとして入力された目標パラメータは結果画像のためにコンピュータ装置によって画像再構成アルゴリズムの決定時に利用されるとよい。
【００４４】
第２の変形例によれば、結果画像の算出（ステップｅ））は、概観表示に基づいて、すなわち特に直接的に概観表示の基礎をなしているデータに基づいて行なわれる。その場合に新たな画像再構成は実施されない。
【００４５】
コンピュータ装置は結果画像の算出（ステップｅ））のためにレトロスペクティブなフィルタ処理を行なう。一般的に言えば、独国特許出願第１０２３８３２２．７号明細書（Ｒａｕｐａｃｈほかの発明）による方法を用いることができ、それの開示内容がこの出願に明確に、特に請求項、特に請求項１および請求項９に含まれている。
【００４６】
次の方法［１］および／または［２］を適用することができ、特に［２］が有利である。
【００４７】
［１］次のステップを有するＣＴ装置のウィンドウ制御されるフィルタ処理方法
ａ）ＣＴ装置またはＣアーム装置による生データセットの取得、
ｂ）例えば鋭い畳み込み核および例えば狭いスライス感度プロフィールによるＣＴ生データセットからの１次データセットの再構成、
ｃ）ウィンドウ幅と画像鮮明度との間の関数関係としての変換関数を準備、
ｄ）変換関数に基づく画像処理プロセスによる選択された断層のための選択されたウィンドウ幅に依存して、１次データセット内にある選択された断層のＣＴ画像における画像鮮明度の自動算出。
【００４８】
［２］次のステップを有するＣＴ装置のレトロスペクティブなフィルタ処理方法
（１）ＣＴ装置またはＣアーム装置による生データセットの取得、
（２）例えば鋭い畳み込み核および例えば狭いスライス感度プロフィールに基づく１次データセットの再構成、
（３）１次データセットに基づく画像特性を有する画像スタックの再構成、
（４）画像コンピュータのバックグランドで走る画像処理プロセスによる画像スタックの変更された画像特性の算出、
（５）変更された画像特性を有するＣＴ画像の形での画像スタックの可視化。
【００４９】
従って、画像鮮明度、画像間隔、スライス厚（スライス間隔）および／または画像切抜き、方位および位置のオンライン調整を新たな再構成なしに実施することができる。
【００５０】
更なる他の有利な構成によれば、結果画像の出現後または全てのオプション的に付加的に再構成された結果画像の出現後、結果画像はコンピュータ装置に記憶されるか、または別のコンピュータ装置に伝送される。これにより、公知の方法におけるよりも著しく少ない記憶容量および／または伝送容量で済ますことができる。
【００５１】
特に、記憶もしくは伝送は、横断断層像のスタックが記憶もしくは伝送されることなしにあるいは少なくとも元の取得された全ての断層スタックが記憶もしくは伝送されることなしに行なわれる。
【００５２】
更に、ステップａ）〜ｅ）は共通なコンピュータプログラムによって支援され、ステップａ）〜ｅ）は操作者によって特に包括的なオペレータコンソールを用いて実施される。
【００５３】
本発明は、本発明による方法を実施するために準備されたＸ線コンピュータ断層撮影装置にも関する。
【発明を実施するための最良の形態】
【００５４】
以下において多数の実施例に基づいて部分的には概略的な図１〜８により本発明を更に詳細に説明する。
図１はＣＴ装置として構成された本発明方法を実施するための検査装置の、一部に斜視図を含むブロック図、
図２は医療上重要な患者画像をＣＴ装置により作成するための従来方法の概略図、
図３は患者の医療上重要な画像をＣＴ装置により作成するための本発明による方法の概略図、
図４は本発明による方法の第１実施例のフローチャート、
図５は概観表示の例、
図６は本発明による方法の第２実施例のフローチャート、
図７は公知の方法のフローチャート、
図８は本発明による方法の第３実施例のフローチャートを示す。
【００５５】
図１には、第３世代のＣＴ装置１が重要部分を切抜いて示されている。この測定装置は、Ｘ線放射器２とＸ線検出器５とを有する。Ｘ線放射器２はこの前方に配置された線源近傍の絞り装置３を有する。Ｘ線検出器５は、図１に４で示された検出器要素の多数の行列からなる多数の、または多数行の、または面状のアレイとして構成され、前方に配置された明示的には示されていない検出器近傍のＸ線絞りを有する。図１においては、図の見易さのために、４行のみの検出器要素４が示されているが、Ｘ線検出器５はそれ以上の行数（例えば１６行）の検出器要素４を有することができ、また異なる幅ｂを有していてもよい。Ｘ線検出器５は固体マトリックス検出器システムとして構成することができ、特に平面画像検出器としておよび／またはシンチレータ層と電子的な光電受信マトリックスとを含む検出器として構成することができる。これらの検出器は、僅かな製造費用で平面状に２Ｄ検出器としても製造可能であるという利点を有する。
【００５６】
一方では絞り装置３を備えたＸ線放射器２と、他方ではＸ線絞りを備えたＸ線検出器５とが、明示的には示されていない回転枠（ガントリ）に、ＣＴ装置１の作動時にＸ線放射器２から出て可調整絞り装置３によって絞り込まれたピラミッド形のＸ線ビーム束がＸ線検出器５に当たるように互いに対向して取付けられている。ピラミッド形のＸ線ビーム束の縁部Ｘ線が８で示されている。
【００５７】
回転枠は、図示されていない駆動装置によりシステム軸線１２の周りを回転することができる。システム軸線１２は図１に示された空間直交座標系のｚ軸に対して平行に延びている。
【００５８】
Ｘ線検出器５の列は同様にｚ軸の方向に延びている。これに対して、幅ｂがｚ方向に測られ、例えば１ｍｍである行は、システム軸線１２もしくはｚ軸に対して直角方向に延びている。
【００５９】
被検体、例えば患者をＸ線ビーム束のＸ線経路内に運び込むことができるように、システム軸線１２に対して平行に、従ってｚ軸方向に移動可能である寝台装置９が設けられている。この場合、回転枠の回転運動と寝台装置９の並進運動との比が一定となるように、回転枠の回転運動と寝台装置９の並進運動との同期化が図られる。この比は、回転枠の１回転当たりの寝台装置９の送りｈを所望値に選ぶことによって設定可能である。
【００６０】
寝台装置９上に存在する被検体のボリュームがボリューム走査過程で検査される。このボリューム走査はスパイラル走査形式で、回転枠を回転させ同時に寝台装置９を並進させながら、回転枠の１回転当たり多数の投影を異なる方向から撮影するように行なわれる。スパイラル走査の場合、Ｘ線放射器２の焦点１３は寝台装置９に対して相対的にスパイラル軌道１４上を移動する。このスパイラル走査の代わりにシーケンス走査も可能である。
【００６１】
スパイラル走査中にＸ線検出器５の各活性行の検出器要素４からパラレルに読取られ個々の投影に対応する測定データが、データ処理ユニット１０においてディジタル−アナログ変換を施され、シリアル化され、そして生データとして画像コンピュータ１１に伝達される。画像コンピュータ１１は画像再構成の結果を表示ユニット１６、例えばビデオモニタに表示する。
【００６２】
Ｘ線放射器２、例えばＸ線管は、（オプションとして同様に共に回転する）高電圧発生器ユニット１７によって必要な電圧および電流を供給される。電圧および電流をその都度必要な値に設定できるようにするために、高電圧発生器ユニット１７には、必要な設定を行なうキーボード１９付きの制御ユニット１８が付設されている。
【００６３】
ＣＴ装置１のその他の操作および制御も制御ユニット１８およびキーボード１９により行なわれ、このことは制御ユニット１８が画像コンピュータ１１に接続されていることによって示されている。
【００６４】
特に、検出器要素４の活性行の個数と、線源側のＸ線絞り装置３の位置およびオプションの検出器側のＸ線絞りの位置とを設定することができ、このために制御ユニット１８は線源側のＸ線絞り装置３およびオプションの検出器側のＸ線絞りに付設された調整ユニット２０もしくは２１に接続されている。さらに、回転枠が完全な１回転のために必要とする回転時間が設定され、これは回転枠に付設された駆動ユニット２２が制御ユニット１８に接続されていることによって示されている。
【００６５】
制御ユニット１８は、画像コンピュータ１１と共に、唯一の操作者によって操作可能でありかつ機能的に完全に利用できる統合されたワークステーションをなしている。
【００６６】
図２は、ＣＴ装置１により患者の医療上重要な画像を作成するための公知の標準ワークフローの概略図を示す。取得ステップ４１ではＣＴ装置１およびこれの画像コンピュータ１１によって多数のアキシャル断層像４３が１次データセットとして作成される。特に薄スライス再構成の場合、例えば約１０００個のこのようなアキシャル画像が発生させられる。これは、１画像当たり約１〜２秒の時間消費の場合、１５〜３０分間続く。大規模なデータ量はデータの診断所見および継続処理の際に問題を投げかける。ＣＴ装置１において作成されたデータは、別個の後処理ステップ４５において、接続されている別個のワークステーションに転送され、そこで継続処理されなければならない（導き出されたデータセット）。そのうえ更に、部分的には画像データは、先ず保管システム（ＰＡＣＳ＝医用画像管理システム）に伝送されなければならず、そこから画像データを呼び出してワークステーションで使用可能にする。ワークステーションでは特別なソフトウェアによりかつ使用者の対話のもとにインターフェース４６を介して特定の医療上の処理または評価が行なわれる。後処理を行なう者は多数のアキシャル画像４３から出発しなければならない。従って、これは「断層診断所見」と言う。操作者が例えば３Ｄビューワーを使用できないとすると、例えば最初に述べた断層スタック内へのフィルムのような没入によれば診断上重要な画像を検出または規定することが進行する。後処理４５の結果は、１個または僅かな個数の診断上重要な画像４７である。後処理４５の枠内において１次データセットまたは生データセットすらも所望の診断上の問題提起のために適さないことが明らかになったならば、再びＣＴ装置１に戻り、画像再構成およびデータ伝送もしくは新たな走査をともなう手順を新たに実施しなければならない。結局、使用者は１次データ（アキシャル断層像）の計画時にすでに多かれ少なかれ、質的に価値の高い２次画像、例えば非アキシャル画像を得るのにどのパラメータが必要であるかを知っていなければならない。
【００６７】
図３には、図２と同じように、本発明による方法が対比されている。ＣＴ装置１によって同様に先ず多数の断層像５３が作成される。しかし、インターフェース５６を介する使用者との対話時に単にボリュームレンダリング（ＶＲＴ）によるコンパクトな明快な３次元表示だけが示される。それゆえ、操作者はリアルタイムの可視化を得て、診断所見上重要なデータセットを即座に選択することができる。それによって、データ量をその発生場所において直接に僅かの実際に診断上重要な画像５７に低減することができる。これを「ボリューム診断所見」と言う。従って、診断上重要な画像５７の作成はデータ取得の不可欠の構成部分である。データ取得および診断上重要な画像の作成は共通なステップ５１において共通なソフトウェア・使用者画面のもとで、特に共通なコンピュータ装置３１または共通な画像コンピュータ１１上で行なわれる。
【００６８】
更に、本発明による方法によって、１次データセットまたは生データセットさえも診断上の問題提にとって十分な品質で適していなかったならば、即座に認識できるようにすることによって、視覚的なリアルタイム品質管理への可能性がもたらされる。
【００６９】
図４は本発明による方法の第１の実施例を詳細に示す。
【００７０】
使用者（操作者、医師、放射線医、臨床検査技師など）は、先ず予め定められた検査プロトコルをデータバンクから選ぶ（符号Ｐ）。被検体６１（患者）がコンピュータ断層撮影装置１の開口の中に運ばれた後、使用者はトポグラムＴを撮影する。その後検査範囲すなわち走査ボリューム６３が相応の入力によって決定される（符号Ｆ）。続いて、所望の走査ボリューム６３においてスパイラル走査Ｓが実施される。この場合に生データは、等方性または準等方性のボリュームデータセットが作成可能であるように撮影される。ボリュームデータセットのボクセルは少なくともほぼ立方体である。
【００７１】
コンピュータ装置３１によって自動制御されかつスパイラル走査Ｓに対して次のステップとしてリアルタイムで、画像再構成Ｒおよびその表示Ａが行なわれる。
【００７２】
画像再構成Ｒは、選ばれた検査プロトコルに依存して、高速のデータ処理を保証する方法および／またはパラメータ（標準カーネルなど）で、最終的に望まれた結果画像７１に関する要求が満たされ得ること、または満たされなければならないことなしに実行される。断層像５３における作成スタックは次の計画モード（Ａ，Ｗ）のための要求を、高画質を保証するパラメータにより再構成が実施されることなしに、概観表示に基づいて満たす。例えば、この断層像５３は必ずしも薄断層像でなくてもよい。測定から得られたデータは、リアルタイムでボリュームが成長するモード、例えばＭＰＲ、ＭＩＰまたはＶＲＴで概観表示６５内に、ＶＲＴの場合には特に使用者との対話形式で表示される。高分解能のアキシャル断層像または２次画像像の計画が走査後既に僅かな秒で可能である。
【００７３】
診断所見上重要な表示範囲６７の選択の、計画に必要な次のステップＷは、使用者がモニタにおいて成長する３Ｄ物体を所望の表示平面にナビゲートすることによって、測定中に少なくとも開始時に行なってもよい。使用者は、ナビゲート可能な画面ポインタを発生する位置感応入力手段６９により、特に結果画像７１の大きさ、位置および／または向きに関して診断所見上重要な表示範囲６７の選択Ｗを行なう。走査直後に使用できるボリュームデータセットは薄断層シリーズの規定のための基礎として用いることができるように、ビューイング構成要素がコンピュータ断層撮影装置１における操作ソフトウェアの不可欠の構成部分であることが重要である。コンピュータ装置３１は、作成されたスタック５３のアキシャル断層像の表示を、使用者がこのような表示を明確に要求しないかぎり行なわない。
【００７４】
診断所見上重要な表示範囲６７が規定された後、コンピュータ装置３１は、選択Ｗにおいて決定した例えば分解能、スライス厚などの如きパラメータを用いて、高品質の画像再構成（Ｂ）を、これが所望の診断上の問題提起またはアプリケーションにとって入力として必要である限り実行する。この画像再構成（Ｂ）は今や全ボリュームを対象とする必要はなく、すなわち走査（Ｓ）時に得られた生データセットから理論的に算出可能な全ての横断断層像を算出する必要はなく、また多数の断層像を場合によっては全部算出しなくてもよい。しかし、断層像７０がその都度全部であれ部分的であれ算出される限り、この算出は薄断層像として高い分解能で行なわれる。これらの断層像７０から結果画像７１が算出されモニタに表示される（Ｄ）
【００７５】
他の表示として、これらの断層像７０をアキシャル断層として再構成するのではなくて、直接に、例えば計画モードＡ／Ｗにおいて診断所見上重要な表示範囲６７と共に決定された傾きに応じて傾けられた断層像（２次断層像）として再構成することもできる。
【００７６】
このようにしてデータボリュームが作成場所、すなわちモダリティにおいて減少させられる。これまでは後処理の枠内においてのみ使用可能であるアプリケーション（ＭＰＲ，ＭＩＰ，ＶＲＴ，ＳＳＤ）が、直接に診断所見、保管および記録に使用可能となる。
【００７７】
結果画像７１を保管（ＰＡＣＳ）へ引続いて伝送する際、必要な伝送容量が比較的僅かであり、また保管に必要な記憶場所が比較的僅かですむ。なぜならば、診断所見上重要な表示範囲６７のデータのみを保存もしくは伝送すればよく、薄断層シリーズ全体を保存もしくは伝送する必要がないからである。
【００７８】
図５はＶＲＴモードにおける概観表示６５の例を示し、診断所見上重要な表示範囲６７は傾斜した断層像として選択されている。この表示では使用者はズーム機能も使用可能である。
【００７９】
図６は本発明による方法の第２の実施例を詳細に示し、これは以下に異なるように述べられていない限り、図４の実施例とほぼ一致している。
【００８０】
第２の実施例においては、画像再構成Ｒが概観表示６５に対して高い品質で行なわれる。これは、例えばコンピュータ断層撮影装置１の特定の検査プロトコルに当てはまる。
【００８１】
１つの結果画像７１または複数の結果画像の算出は、概観表示６５に基づいて、従って概観表示６５の基礎をなしているスライススタック５３に基づいて、新たな画像再構成を実施することなく行なわれる。
【００８２】
必要な限り、特に画像パラメータ（ノイズ、鮮明度など）の変化が必要である場合、結果画像７１の算出のためのコンピュータ装置は独国特許出願第１０２３８３２２．７号明細書（Ｒａｕｐａｃｈほかによる発明）による方法の１つを用いてレトロスペクティブなフィルタ処理を行なわれる。フィルタ処理はリアルタイムでアキシャル方向にｚ方向にも行なわれる。例えばスライス厚、フィルタなどの如き設定されたパラメータは常に可視化される。ギャラリーから使用者は画像印象を近似的に設定することができる。各設定可能なフィルタがスタンプイメージで選択可能である。フィルタ処理もデータ取得の不可欠の構成部分とみなすこともできる。それによって「内部の」データ（後）処理のために、取得された全部のデータセットを引っぱり出す可能性がもたらされる。これは、使用可能な入力データのアプリケーション固有の最適化によって改善された画質のために利用することができる。
【００８３】
コンピュータ断層撮影装置１は、コンピュータ装置３１と共に、上述のことが自動的に使用者によって入力された例えば画像鮮明度、スライス厚、画像切抜きなどの如きパラメータに依存して結果画像７１のための画像算出Ｂのどの種類が新たな再構成をともなってまたは再構成をともなわずに実施されるかを自動的に決定するように構成されている。
【００８４】
本発明による方法では、結果画像の品質評価を、不可欠的に高品質再構成プロセスをスタートさせることを必要とせずに、検査直後にプロスペクティブに行なうことができる。公知の方法ではその評価を全ての画像シリーズの再構成終了後に、一般には数分以降に、レトロスペクティブにのみ行なうことができる。画質が十分でなかったならば、新たな再構成が準備されて依頼されなければならなかった。
【００８５】
本発明による方法では、診断所見上重要な画像シリーズの直接作成によって著しいデータ低減がもたらされる。標準の後処理のための基礎としての薄断層シリーズをなくすことができる。検査された解剖学構造の圧縮されたオンライン概観表示が、診断上重要な器官の断層像の解剖学的指向の選択を可能にする。臨床上重要な画像パラメータは直接にかつ即座に調整することができる。臨床上重要な結果画像のプロスペクティブな選択によって、オンラインパラメータ設定および可視化が最適な品質管理を可能にする。例えば異なる画像印象を種々の再構成カーネルの変化により選ぶことが従来よりも簡単に可能である。発生されたアキシャル画像スタックしか使用できない個別の後処理と違って、非アキシャル画像の組み込まれた算出は、取得されたデータ、特に生データへの直接アクセスによって画像算出を最適に調整し、それにより改善された画質をプロスペクティブに生じさせることができるという利点を提供する。
【００８６】
しかしながら、結果画像７１は２次画像でも１次画像でもよく、あるいは一般的に任意の画像タイプの再構成された部分ボリュームであってもよい。
【００８７】
図７は公知の方法のフローチャートを示し、これに対して図８は本発明による方法の第３の実施例を示す。同じシンボルは既に説明した実施例におけると同じものを示す。
【００８８】
公知の方法の場合には次のステップが進行する。
Ａ）データ取得７９
１．予め規定されたプロトコル（Ｐ）のロード
２．トモグラム（Ｔ）のオプション走査
３．走査範囲（Ｆ）の決定およびスパイラルまたはシーケンス走査（Ｓ）の実行
４．アキシャル薄断層像のスタック８１の結果をともなう薄スライス再構成（ＴＳＲ）の設定、計画および実施
５．検査の終了
６．保管システム８３への基準画像としてのトポグラムのオプション伝送（Ｕ１）
【００８９】
その後３Ｄアプリケーションを有する別のコンソールへの大きなデータ量（導き出されたデータセット、図２に対する説明参照）の転送後に，次のステップが進行する。
Ｂ）後処理８５
１．特に別のコンピュータにおける３Ｄアプリケーションへのアキシャル薄断層像のスタック８１のロード（Ｌ）
２．診断所見上重要な表示範囲の選択（Ｗ’）、特に傾斜断層像８４のボリュームおよびパラメータの規定および例えばＭＰＲまたはＭＩＰ法によるボリュームおよびパラメータの算出
３．傾斜断層像８４の記憶（Ｍ）
４．保管システム８３への傾斜断層像８４の伝送（Ｕ２）
【００９０】
この方法における欠点は、高品質の２次スライス、例えば傾斜断層像を得るためには、使用者がアキシャル断層像の計画時にどのパラメータが必要であるかを正確に知っていなければならないことにある。
【００９１】
図８による本発明方法の第３の実施例では、それに比べて次のステップが進行する。データ取得および後処理がソフトウェア的に共通なオペレータコンソール９１にいっしょに組み込まれている。これはＣＴ装置１に提供されている標準ワークフローである。
【００９２】
１．予め規定されたプロトコル（Ｐ）のロード
【００９３】
２．走査プログラムまたはトポグラム（Ｔ）のオプション走査
【００９４】
３．関心走査範囲（Ｆ）の決定および走査（Ｓ）の実行
【００９５】
４．３項で得られた生データから、リアルタイムでの、すなわちビーム放射に並行した診断上の品質での画像の再構成（Ｒ）および記憶
診断上の品質での画像の算出（Ｒ）の後に、ソフトウェアが自動的に計画ボリュームを算出（Ｒ）し、概観表示（Ａ）をもたらす３Ｄ計画モードに自動的に切り換える。概観表示は、再構成されるべきボリュームの３つの画像セグメントにおいて直交する眺めからなる。再構成されるべきボリュームはパラメータ化されたＭＰＲ法またはＭＩＰ法によって算出される。セグメントの１つは再構成方向に対して同軸の断層であり、他の２つの直交断層は以下において「側方断層」と呼ばれる。各セグメントは再構成されるべき範囲の周囲を矩形として示し、両側方断層の位置を示す。
【００９６】
非アキシャル断層の計画は、高品質の再構成を前提とすることなく、走査（Ｓ）の終了後数秒で可能となる。
【００９７】
５．特に空間内において任意の方位で傾斜する（ｚ軸に対して傾けられた）断層像の診断所見上重要な表示範囲の選択（Ｗ）
概観表示におけるグラフィックの対話形式によって、再構成されるべき範囲の大きさ、位置および向きを変化させることができる。断層軸を移動させることによって他の断層を表示することができる。それぞれの他の両セグメントの内容がリアルタイムで更新される。
【００９８】
オプションとして、使用者は別の付加的なセグメントにおいて計画された画像スタックへの予測を得ることができる。側面断層と予測との組み合わせによって、使用者は特に簡単に、計画された画像が所望の範囲をカバーしているか否かを検証することができる。
【００９９】
使用者は再構成されるべき画像の目標パラメータ、すなわち再構成法、画像間隔およびスライス厚を決定し、これらをソフトウェアの画像再構成モジュールに送る。
【０１００】
６．直接的に傾斜断層像の形で１つの結果画像または複数の結果画像スタックの算出（Ｂ）
画像再構成モジュールは、目標パラメータに最適化された方法および再構成パラメータによって直接に選択された範囲の断層像を算出する。過大に選択されたスライス厚またはアキシャル画像の過小な分解能による画質損失並びに不必要に小さく選択されたスライス厚による時間損失、そしてそれにともなう不必要に多いアキシャル画像が回避される。
【０１０１】
器官に合わせられた画像再構成を使用することもできる。図７によるステップＴＳＬおよびＬは省略することができる。従って、動作経過（ワークフロー）において高分解能のアキシャル薄断層シリーズの計画が開始されるのではなくて、最初に一度診断所見上重要な範囲が計画され、決定され、結果画像が算出される。
【０１０２】
結果画像はモニタに表示される。
【０１０３】
７．例えば使用者入力による検査の終了
【０１０４】
８．計画完結後にシステムは両側面図の１つを基準画像として記憶する。この結果、再構成された画像の位置が対応するスライスの表示によって認識可能である。基準画像の記憶によって、システムは、生成された画像が空間内での位置を後から割り付けられ得るようにする。この方法はトポグラムへのスライス線の記憶と同様にして実施可能である。
【０１０５】
その後システム構成に応じて使用者によって自動的に保管８３への結果画像と基準画像との伝送（Ｕ）が行なわれる。
【０１０６】
空間内で傾けられた画像はワークフローにおいてアキシャル画像と同じように扱われる。すなわち、後処理、清算およびフィルム化の臨床上のワークフローにおける特別扱いはもはや必要でない。
【図面の簡単な説明】
【０１０７】
【図１】本発明方法を実施するための装置を示す一部に斜視図を含むブロック図
【図２】医療上重要な患者画像をＣＴ装置により作成する従来方法を示す概略図
【図３】医療上重要な患者画像をＣＴ装置により作成する本発明方法を示す概略図
【図４】本発明による方法の第１実施例のフローチャート
【図５】概観表示の例を示す図
【図６】本発明による方法の第２実施例のフローチャート
【図７】公知の方法のフローチャート
【図８】本発明による方法の第３実施例のフローチャート
【符号の説明】
【０１０８】
１        コンピュータ断層撮影装置
２        Ｘ線放射器
３        絞り装置
４        検出器要素
５        Ｘ線検出器
８        縁部Ｘ線
９        寝台装置
１０        データ処理ユニット
１１        画像コンピュータ
１２        システム軸線
１３        焦点
１４        スパイラル軌道
１６        表示ユニット
１７        高電圧発生器ユニット
１８        制御ユニット
１９        キーボード
２０，２１  調整ユニット
３１        コンピュータ装置
４１        取得ステップ
４３        断層像
４５        後処理ステップ
４６        インターフェース
４７        画像
５１        ステップ
５３        断層像
５６        インターフェース
５７        画像
６１        被検体
６３        走査ボリューム
６５        概観表示
６７        診断所見上重要な表示範囲
６９        入力手段
７０        断層像
７１        結果画像
７９        データ取得
８１        アキシャル薄断層像スタック
８３        保管システム
８４        傾斜断層像
８５        後処理
８７        傾斜画像
９１        オペレータコンソール
Ｐ          プロトコル選択
Ｔ          トポグラム実行
Ｆ          走査範囲決定
Ｓ          走査
Ｒ          画像再構成
Ａ          画像表示
Ｗ          診断所見上重要な表示範囲の選択
Ｂ          結果画像算出
Ｄ          結果画像の表示
Ｕ          結果画像の伝送
Ｕ１        トポグラムの伝送
Ｕ２        傾斜断層像の伝送
ＴＳＲ      薄断層再構成の設定、計画および実施
Ｌ          ロード
Ｗ’        特に傾斜断層像の診断所見上重要な表示範囲の選択
Ｍ          記憶
ｂ          幅
ｈ          送り
【図１】
2005103263.tif 000003
【図２】
2005103263.tif 000004
【図３】
2005103263.tif 000005
【図４】
2005103263.tif 000006
【図６】
2005103263.tif 000007
【図８】
2005103263.tif 000008
【図５】
2005103263.tif 000009
【図７】
2005103263.tif 000010